(57)【要約】【課題】電子部品を埋込んだ形態で備える多層配線基板を、容易に製造する。【解決手段】多層配線基板を、多層の絶縁層間に導体パターン３や層間接続部を設けて構成すると共に、半導体ベアチップ５を埋込まれた形態で設けて構成する。多層配線基板を製造するにあたり、絶縁層となる結晶転移型の熱可塑性樹脂製のフィルム８に貼付された銅箔をエッチングして導体パターン３を形成すると共に層間接続部を構成するビアホール内に導電ペースト９を充填した基材７を形成し、それら基材７を積層して熱プレスして一体化する。このとき、上から２層目の基材７に、半導体ベアチップ５の電極に対応してビアホールを形成し導電ペースト９を充填する。また、最下層の基材７に、半導体ベアチップ５の放熱用の放熱パターン６を導体パターン３と一体的に形成する。さらに、基材７のうち半導体ベアチップ５が配置される部分に穴７ａを形成する。【選択図】  図１
2004153084.tif 000002
【特許請求の範囲】
【請求項１】
熱可塑性樹脂からなる多層の絶縁層を有すると共に、層間に形成された導体パターン及びそれら導体パターン間を接続する層間接続部を有する多層配線基板を製造する方法であって、
結晶転移型の熱可塑性樹脂からなり前記絶縁層を構成するフィルムに、前記導体パターンを形成すると共に、前記層間接続部となるビアホールを形成しその内部に導電ペーストを充填して基材を形成する基材形成工程と、
前記基材を多数枚積層する積層工程と、
積層された前記基材を一括して加熱しながら加圧することにより一体化する熱プレス工程とを含むと共に、
前記積層工程において、前記多数枚の基材間の所定位置に前記電子部品を配置することにより、前記導体パターンに電気的に接続された前記電子部品を、前記絶縁層内に埋込まれた形態で設けるようにしたことを特徴とする多層配線基板の製造方法。
【請求項２】
前記基材形成工程において、前記基材のうち前記電子部品が配置される部分に、該電子部品に対応した穴を形成することを特徴とする請求項１記載の多層配線基板の製造方法。
【請求項３】
前記積層工程においては、前記電子部品の電極に導電ペーストが塗布された状態とされると共に、それら電極が前記層間接続部に接続されるように構成されていることを特徴とする請求項１又は２記載の多層配線基板の製造方法。
【請求項４】
前記基材形成工程において、前記基材のうち前記電子部品の放熱面に接触する部分に、放熱用の放熱パターンを、前記導体パターンと一体的に形成することを特徴とする請求項１ないし３のいずれかに記載の多層配線基板の製造方法。
【請求項５】
前記放熱パターンの表面には、導電ペーストが塗布されることを特徴とする請求項４記載の多層配線基板の製造方法。
【請求項６】
前記基材形成工程において、前記基材のうち前記電子部品の上下に位置される部分に、前記電子部品の電磁シールド用のシールドパターンを、前記導体パターンと一体的に形成することを特徴とする請求項１ないし５のいずれかに記載の多層配線基板の製造方法。
【請求項７】
熱可塑性樹脂からなる多層の絶縁層を有すると共に、層間に形成された導体パターン及びそれら導体パターン間を接続する層間接続部を有する多層配線基板において、
前記導体パターンに電気的に接続された電子部品を、前記絶縁層内に埋込まれた形態で備えることを特徴とする多層配線基板。
【請求項８】
前記電子部品は、半導体ベアチップであることを特徴とする請求項７記載の多層配線基板。
【請求項９】
前記電子部品の放熱面に熱的に接触する放熱パターンが、前記導体パターンと一体的に設けられていることを特徴とする請求項７又は８記載の多層配線基板。
【請求項１０】
前記電子部品の電磁シールド用のシールドパターンが、前記導体パターンと一体的に設けられていることを特徴とする請求項７ないし９のいずれかに記載の多層配線基板。
【発明の詳細な説明】
【０００１】
【発明の属する技術分野】
本発明は、熱可塑性樹脂からなる多層の絶縁層を有すると共に、層間に形成された導体パターン及びそれら導体パターン間を接続する層間接続部を有する多層配線基板の製造方法及び多層配線基板に関する。
【０００２】
【従来の技術】
例えば各種の小型電子機器に組込まれる実装基板においては、多層配線基板の表面に、例えばＢＧＡ（Ｂａｌｌ  Ｇｒｉｄ  Ａｒｒａｙ  ）タイプや、ＣＳＰ（Ｃｈｉｐ  Ｓｉｚｅ  Ｐａｃｋａｇｅ  ）タイプといった小型、高密度のパッケージ型の半導体部品（電子部品）を実装することが行われている。また、前記多層配線基板は、例えばエポキシ樹脂などの熱硬化性樹脂を主体とした多層の絶縁層を有すると共に、表面や層間に導体パターンを有して構成され、その表面に形成されたランドに、前記半導体部品のはんだバンプが接合（はんだ付け）されるようになっている。
【０００３】
ところが、このような実装基板にあっては、多層配線基板及び電子部品の各部の熱膨張係数の差などに起因して、温度変化を繰返し受けることにより、はんだ接合部（はんだバンプ）部分にストレスが作用し、例えばはんだ接合部のうち多層配線基板表面のランドとの界面などにクラックが発生し、ひいては剥離に至るなど、接続信頼性に劣る問題点があった。そのため、接合の安定性を確保するためには、実装条件出しをシビアにする必要等があり、評価に多大な時間を必要とする不具合があった。
【０００４】
【発明が解決しようとする課題】
ところで、上記のような多層配線基板にあって、電子部品を内部に埋込んだ形態で設けることができれば、電子部品と基板との間の電気的な接合安定性を向上させることができ、また、基板の表面の面積の有効利用を図ることも期待できる。しかしながら、従来の多層配線基板にあっては、内部に電子部品を埋込んだ形態に設けようとすれば、多層配線基板の製造工程がかなり複雑（面倒）となることが予測される。
【０００５】
本発明は上記事情に鑑みてなされたもので、その目的は、電子部品を埋込んだ形態で備える多層配線基板を、容易に製造することができる多層配線基板の製造方法及び多層配線基板を提供するにある。
【０００６】
【課題を解決するための手段】
本出願人は、例えばポリエーテルエーテルケトン（ＰＥＥＫ）樹脂、ポリエーテルイミド（ＰＥＩ）樹脂といった結晶転移型の熱可塑性樹脂製のフィルムを用いた多層配線基板の製造方法を開発してきている。このような熱可塑性樹脂は、例えば２００℃付近では軟質となるが、それより低い温度でも高い温度でも硬質となり（さらに高い温度（約４００℃）では溶解する）、また、高温から温度低下する際には、２００℃付近でも硬質を保つ性状を呈するものとなっている（図４参照）。
【０００７】
このため、このような熱可塑性樹脂製のフィルムに導体パターンや層間接続部となる部分を形成した基材を積層し、一括して約２００℃で熱プレスすることにより、多層配線基板を容易に製造することができる。また、このような製造方法を用いることにより、例えば数十層もの多層のものを一括して製造できて生産性が大幅に向上すると共に、熱硬化性樹脂を用いた場合と比較して寸法精度に優れる、リサイクル性にも優れるなどの多大なメリットを得ることができる。
【０００８】
本発明者は、このような多層配線基板の製造方法の応用により、電子部品を埋込んだ形態で備える多層配線基板を、容易に製造することができることを確認し、本発明を成し遂げたのである。
【０００９】
即ち、本発明の多層配線基板の製造方法は、基材を形成する基材形成工程、基材を積層する積層工程、熱プレス工程を含み、積層工程において、多数枚の基材間の所定位置に電子部品を配置することにより、導体パターンに電気的に接続された電子部品を、絶縁層内に埋込まれた形態で設けるようにしたところに特徴を有する（請求項１の発明）。また、本発明の多層配線基板は、導体パターンに電気的に接続された電子部品を、熱可塑性樹脂からなる多層の絶縁層内に埋込まれた形態で備えるところに特徴を有する（請求項７の発明）。
【００１０】
これによれば、熱可塑性樹脂のフィルムを主体とした基材を複数枚積層する際に、基材間の所定位置に電子部品を配置し、熱プレスを行うことにより、絶縁層内に電子部品を埋込んだ形態で備える多層配線基板を製造することができる。このとき、埋込まれた電子部品と導体パターンとの間の電気的な接合安定性は高いものとなり、また、多層配線基板の表面の面積の有効利用を図ることができる。そして、積層工程において、電子部品を所定位置に配置することによって、電子部品を埋込んだ形態に設けることができるので、工程を特に複雑化することなく済ませることができ、製造が容易となる。
【００１１】
この場合、様々な種類の電子部品を、多層配線基板の内部に埋込んだ形態に設けることができるが、半導体部品を設ける場合、周囲の絶縁層をいわばパッケージに代わるものとすることができるので、ベアチップの状態で設けることが望ましい（請求項８の発明）。これにより、絶縁層（多層配線基板自体）によって半導体ベアチップの保護を図ることができてパッケージの形成を不要とすることができると共に、多層配線基板内に埋込む部品を、より小さいもので済ませることができる。
【００１２】
そして、上記した製造方法にあっては、電子部品が配置される部分に、基材が存在すると、熱プレス工程において、電子部品がその厚み（体積）分だけ基材の材料（熱可塑性樹脂）を押しのけることになり、基板の変形を招く等の様々な弊害の発生を招く虞もある。そこで、基材形成工程において、基材のうち電子部品が配置される部分に、該電子部品に対応した穴を形成しておけば（請求項２の発明）、そのような弊害の発生を防止することができる。
【００１３】
また、積層工程において電子部品の電極に導電ペーストを塗布しておき、それら電極が層間接続部に接続されるように構成することができる（請求項３の発明）。これによれば、同種の材質同士の接合により、電子部品の電気的接続が行われるので、接合の安定性を一層高めることができる。
【００１４】
ところで、電子部品を絶縁層内に埋込んだ場合、電子部品の発熱が内部にこもってしまうようなことがあると、絶縁層の劣化などの弊害を招く虞がある。そこで、基材形成工程において、基材のうち電子部品の放熱面に接触する部分に、放熱用の放熱パターンを導体パターンと一体的に形成することにより、多層配線基板に、電子部品の放熱のための放熱パターンを設けることができる（請求項４，９の発明）。
【００１５】
これにより、電子部品の放熱を良好に行うことができ、また、放熱パターンを設けるための別途の工程を不要とすることができる。このとき、放熱パターンの表面に、導電ペーストを塗布しておくようにすれば（請求項５の発明）、その導電ペーストの層が熱プレス工程におけるクッションとなって、電子部品に過大な力がかかることを防止でき、また、多少の寸法誤差を吸収して電子部品と放熱パターンとを密着させることができる。
【００１６】
さらには、基材形成工程において、基材のうち電子部品の上下に位置される部分に、電子部品の電磁シールド用のシールドパターンを導体パターンと一体的に形成することにより、多層配線基板に、電子部品の電磁シールド用のシールドパターンを設けることができる（請求項６，１０の発明）。これによれば、多層配線基板に埋込まれた電子部品の放射ノイズの低減を図ることができ、基板外部に対策部品を不要として、機器設計の容易化を図ることができる。
【００１７】
【発明の実施の形態】
以下、本発明の第１の実施例について、図１ないし図４を参照しながら説明する。まず、図２は、本実施例に係る多層配線基板１の構成を概略的（模式的）に示しており、この多層配線基板１は、後述する熱可塑性樹脂材料からなる多数の絶縁層２を積層して構成されており、その表面（上面）及び各絶縁層２間には、例えば銅箔からなる導体パターン３が形成されていると共に、要所には層間の導体パターン３を電気的に接続する層間接続部４が設けられている。
【００１８】
そして、この多層配線基板１内には、ほぼ中央部に位置して、この場合電子部品としての半導体ベアチップ５が、電極面を図で上面側として埋込まれた形態に設けられている。この場合、半導体ベアチップ５の図で上面の各電極は、上から２層目の絶縁層２内の層間接続部４に対して接続され、ひいては導体パターン３に電気的に接続されている。
【００１９】
また、本実施例では、前記半導体ベアチップ５の図で下面側が放熱面とされ、この放熱面にやはり銅箔からなる放熱用の放熱パターン６が密着するように設けられている。図示はしないが、この放熱パターン６は、多層配線基板１の外部へ放熱を行うための所定の放熱経路に接続されている。尚、実際には、絶縁層２の層数は、十数層〜数十層にもなるが、ここでは便宜上６層で図示している。また、これも便宜上、半導体ベアチップ５の厚み寸法は、絶縁層２の３層分の厚みにほぼ等しいものとされている。
【００２０】
さて、上記構成の多層配線基板１を製造するための本実施例に係る製造方法について、図１、図３、図４も参照して述べる。多層配線基板１を製造するにあたっては、まず、図１、図３に示すような基材７を形成する基材形成工程が実行される。この基材７は、絶縁層２を構成する結晶転移型の熱可塑性樹脂からなるフィルム８上に、導体パターン３を形成してなり、また、要所に層間接続部４を構成するためのビアホール８ａが形成されると共にそのビアホール８ａ内に導電ペースト９を充填して構成される。
【００２１】
このとき、前記フィルム８は、例えばポリエーテルエーテルケトン（ＰＥＥＫ）樹脂３５〜６５重量％と、ポリエーテルイミド（ＰＥＩ）樹脂３５〜６５重量％とを含んだ材料からなり（商品名「ＰＡＬ−ＣＬＡＤ」）、厚みが例えば２５〜７５ミクロンの、多層配線基板１の大きさに対応した矩形状をなしている。この樹脂材料は、図４に示すように、例えば２００℃付近では軟質となるが、それより低い温度でも高い温度でも硬質となる（さらに高い温度（約４００℃）では溶解する）性状を呈し、また、高温から温度低下する際には、２００℃付近でも硬質を保つものとなっている。
【００２２】
図３は、この基材７を製作する手順を示している。まず、（ａ）に示すようにフィルム８の表面（上面）に貼付けられた導体箔この場合銅箔１０に対して、エッチングにより導体パターン３を形成する工程が実行される。このとき、図１に示すように、最下層に位置される基材７については、べたパターンからなる放熱パターン６が導体パターン３と一体的（同時）に形成されるようになる。
【００２３】
この導体パターン３の形成後、フィルム８の裏面（下面）には、例えばポリエチレンナフタレート（ＰＥＮ）製の保護フィルム１１が貼付される（ｂ）。そして、保護フィルム１１側からの例えば炭酸ガスレーザの照射により、フィルム８の要所に導体パターン３を底面とする有底のビアホール８ａ（便宜上、図３にのみ符号を付す）を形成する工程が実行される（ｃ）。この場合、炭酸ガスレーザの出力及び照射時間の調整により、導体パターン３に穴が開かないようにしている。
【００２４】
引続き、前記ビアホール８ａ内に、導電ペースト９を充填する工程が実行される（ｄ）。この導電ペースト９は、銅、銀、スズ等の金属粒子に、バインダ樹脂や有機溶剤を加えて混練してペースト状としたものであり、例えばメタルマスクを用いたスクリーン印刷によりビアホール８ａ内に印刷充填される。このとき、図１で上から２層目を構成する基材７については、半導体ベアチップ５の各電極に対応した位置にも、ビアホール８ａが形成されて導電ペースト９が充填されるようになる。導電ペースト９の充填後、フィルム８から保護フィルム１１剥がされる（ｅ）。
【００２５】
さらに、この基材形成工程においては、基材７のうち、前記半導体ベアチップ５が配置される部分に、該半導体ペアチップ５に対応した穴７ａが形成される。この場合、図１に示すように、上から３，４，５層目を構成する３枚の基材７に対して、その中央部分に半導体ペアチップ５に対応した四角形の穴７ａが形成されるようになる。
【００２６】
次に、上記のようにして形成された複数枚の基材７を、多層配線基板１の最終形態に応じた形態に上下に積層する積層工程が実行される。この積層工程においては、図１に示すように、６枚の基材７が上下に積層されるのであるが、これと共に、半導体ベアチップ５が、基材７間の所定位置即ち上から２層目の基材７と最下層の基材７との間に挟まれて３枚の基材７の穴７ａ内に嵌るようにして、半導体ベアチップ５がその電極面を上面として配置されるようになる。
【００２７】
また、このとき、半導体ベアチップ５の図で上面の各電極には、前記ビアホール８ａ内に充填されたものと同等の導電ペースト９が塗布されるようになっている。さらに、最下層に位置される基材７の放熱パターン６の上面にも、同等の導電ペースト９が塗布されるようになっている。尚、図示はしないが、図１で最上層を構成する基材７の表面（導体パターン３の露出面）には、例えばポリエチレンナフタレート（ＰＥＮ）製のフィルムからなるカバーレイヤが配置されるようになっている。
【００２８】
次いで、上記した積層物を一括して熱プレスする工程が実行される。この熱プレス工程では、上記積層物が図示しない真空加圧プレス機にセットされ、例えば２００〜３５０℃に加熱されながら、０．１〜１０Ｍｐａの圧力で上下方向に加圧される。このとき、上記各基材７を構成するフィルム８は、図４に示すような温度に対する弾性率変化を生ずるので、この熱プレスの工程により、各フィルム８が熱により一旦軟化した状態で加圧されることによって相互に融着し、その後結晶化（硬化）して一体化するようになる。
【００２９】
これにて、図２に示すように、多層の絶縁層２間に導体パターン３が埋込まれると共に、ビアホール８ａ内の導電ペースト９が硬化して層間接続部４が形成されるようになる。これと同時に、半導体ベアチップ５が、その各電極が上から２層目の絶縁層２の層間接続部４（ひいては導体パターン３）に接続され、また裏面側の放熱面が最下層の絶縁層２上の放熱パターン６に熱的に接続された状態で、絶縁層２内に埋込まれるようになり、以て、多層配線基板１が構成されるのである。
【００３０】
このとき、半導体ベアチップ５の上側部分においては、半導体ベアチップ５の電極に塗布された導電ペースト９が、ビアホール８ａ内の導電ペースト９と一体化して層間接続部４を構成するようになり、同種の材質同士の接合により、半導体ベアチップ５の電気的接続が行われることになり、高い接合性を得ることができる。
【００３１】
また、半導体ベアチップ５の下面側では、放熱パターン６の表面に導電ペースト９が塗布されていたことにより、その導電ペースト９の層が熱プレス工程におけるクッションとなって、半導体ベアチップ５に過大な力がかかることを防止でき、また、多少の寸法誤差を吸収して半導体ベアチップ５と放熱パターン６とを密着させることができる。
【００３２】
そして、基材７のうち、半導体ベアチップ５が配置される部分に穴７ａを形成しておいたことにより、熱プレス工程において半導体ベアチップ５が、基材７（フィルム８）の材料（熱可塑性樹脂）を押しのけて多層配線基板１の変形を招く等の弊害の発生を未然に防止することができるのである。
【００３３】
このように本実施例によれば、熱可塑性樹脂のフィルム８を主体とした基材７を複数枚積層する際に、基材７間の所定位置に半導体ベアチップ５を配置し、熱プレスを行うことにより、絶縁層２内に半導体ベアチップ５を埋込んだ形態で備える多層配線基板１を製造することができた。このとき、埋込まれた半導体ベアチップ５と導体パターン３との間の電気的な接合安定性は高いものとなり、また、多層配線基板１の表面の面積の有効利用を図ることができる。そして、工程を特に複雑化することなく済ませることができ、多層配線基板１を容易に製造することができるものである。
【００３４】
特に本実施例では、多層配線基板１内に、電子部品として半導体ベアチップ５を埋込んだ形態に設けるようにしたので、絶縁層２（多層配線基板１自体）によって半導体ベアチップ５の保護を図ることができてパッケージの形成を不要とすることができると共に、多層配線基板１内に埋込む部品を、より小さいもので済ませることができる。
【００３５】
さらに、特に本実施例では、上述のように、基材７に予め半導体ベアチップ５に対応した穴７ａを形成しておくようにしたので、基板１の変形などを未然に防止することができ、また、半導体ベアチップ５の電極に導電ペースト９を塗布しておいたことにより、接合の安定性を一層高めることができる。そして、放熱パターン６を導体パターン３と一体的に設けるようにしたので、半導体ベアチップ５の放熱を良好に行うことができ、また別途の工程を不要とすることができ、しかも、放熱パターン６上に導電ペースト９を塗布しことにより、熱プレス工程において半導体ベアチップ５に過大な力がかかることを防止でき、多少の寸法誤差を吸収して半導体ベアチップ５と放熱パターン６とを密着させることができるといった利点も得ることができるものである。
【００３６】
図５は、本発明の第２の実施例に係る多層配線基板２１の要部構成を概略的に示すものであり、この第２の実施例が上記第１の実施例と異なるところは次の点にある。即ち、この多層配線基板２１は、やはり結晶転移型の熱可塑性樹脂材料からなる多層（図では便宜上８層）の絶縁層２を積層して構成されており、導体パターン３及び層間接続部４を有すると共に、電子部品たる半導体ベアチップ５が、図で上から４、５、６層目に位置して埋込まれた形態に設けられている。また、半導体ベアチップ５の各電極は、上から３層目の絶縁層２内の層間接続部４に対して接続され、さらには、下から２層目の絶縁層２の上面部に半導体ベアチップ５の放熱面に密着する放熱パターン６が設けられている。
【００３７】
そして、本実施例では、上から２層目に位置する絶縁層２の上面、及び、最下層に位置する絶縁層の上面に、半導体ベアチップ５の上面側及び下面側を夫々覆うように、銅箔のべたパターンからなるからなる電磁シールド用のシールドパターン２２及び２３が、やはり導体パターン３と一体的に設けられている。尚、詳しく図示はしないが、これらシールドパターン２２、２３は、グランドに接続されている。
【００３８】
この多層配線基板２１を製造するにあたっては、上記第１の実施例と同様に、基材形成工程、積層工程、熱プレス工程が順に実行されるのであるが、ここでは、基材形成工程において、上から２層目の基材７、及び、最下層の基材７に、シールドパターン２２及び２３が銅箔１０のエッチングにより導体パターン３と一体的に形成される。そして、積層工程、熱プレス工程を経ることに多層配線基板２１が形成されるのである。
【００３９】
このような第２の実施例によっても、上記第１の実施例と同様の作用、効果を得ることができ、これに加えて、半導体ベアチップ５の電磁シールド用のシールドパターン２２、２３を容易に形成することができると共に、多層配線基板２１に埋込まれた半導体ベアチップ５の放射ノイズの低減を図ることができ、基板１外部に対策部品を不要として、機器設計の容易化を図ることができるといった効果を得ることができる。
【００４０】
尚、上記各実施例では、電子部品として半導体ベアチップ５を採用したが、それ以外でも各種の電子部品（センサ類を含む）を多層配線基板内に埋込んだ形態に設けることができる。また、上記各実施例では絶縁層２（基材７のフィルム８）を構成する結晶転移型の熱可塑性樹脂として、ＰＥＥＫ樹脂とＰＥＩ樹脂とを混合したものを採用したが、ＰＥＥＫ樹脂単体、あるいはＰＥＩ樹脂単体、さらにはそれらにフィラーを添加したもの等を採用することも可能であるなど、本発明は要旨を逸脱しない範囲内で適宜変更して実施し得るものである。
【図面の簡単な説明】
【図１】本発明の第１の実施例を示すもので、基材の積層時の様子を概略的に示す縦断正面図
【図２】多層配線基板の構成を概略的に示す縦断正面図
【図３】基材形成工程を説明するための図
【図４】結晶転移型の熱可塑性樹脂の温度変化と弾性率との関係を示す図
【図５】本発明の第２実施例を示すもので、多層配線基板の要部の構成を概略的に示す縦断正面図
【符号の説明】
図面中、１、２１は多層配線基板、２は絶縁層、３は導体パターン、４は層間接続部、５は半導体ベアチップ（電子部品）、６は放熱パターン、７は基材、７ａは穴、８はフィルム、８ａはビアホール、９は導電ペースト、１０は銅箔、２２，２３はシールドパターンを示す。
【図１】
2004153084.tif 000003
【図２】
2004153084.tif 000004
【図３】
2004153084.tif 000005
【図４】
2004153084.tif 000006
【図５】
2004153084.tif 000007